(57)【要約】      （修正有）【課題】レンズ保護装置および携帯電話の保護カバーを提供する。【解決手段】レンズ保護装置は、携帯電話用レンズと組み合わせるための第１孔構造と、携帯電話のフラッシュ２２と組み合わせるための第２孔構造とが設けられる第１シート本体１と一体的にまたは別個に設置され、フラッシュとレンズのレンズ保護フィルムとの間に設けられる遮光構造とを含む。携帯電話の保護カバーには、第１態様のいずれか１項に記載のレンズ保護装置が設けられる。レンズ保護装置は、携帯電話用レンズの外側に設けられ、携帯電話用レンズ、特に突出されたレンズ２１に対する保護を提供し、携帯電話のレンズが使用中に損傷することを効果的に防止できる。レンズ保護装置は、遮光構造を有し、遮光構造によってフラッシュの光がレンズ保護フィルムの縁部を通ってレンズに入ることを遮断でき、これによって携帯電話のフラッシュとレンズ保護フィルムとが干渉して結像品質に影響を与えることを回避できる。【選択図】図２
0003225476.tif 000002
【実用新案登録請求の範囲】
【請求項１】
第１シート本体と遮光構造を含むレンズ保護装置であって、
前記第１シート本体には、携帯電話用レンズと組み合わせるための第１孔構造と、携帯電話のフラッシュと組み合わせるための第２孔構造とが設けられ、
前記遮光構造は、前記第１シート本体と一体的にまたはそれぞれ設置され、前記フラッシュと前記レンズのレンズ保護フィルムとの間に設けられることを特徴とするレンズ保護装置。
【請求項２】
前記第１シート本体は、光透過性材料で成形される、ことを特徴とする請求項１に記載のレンズ保護装置。
【請求項３】
前記遮光構造は、前記第１孔構造および／または前記第２孔構造の孔壁に設けられた第１遮光層を含む、ことを特徴とする請求項２に記載のレンズ保護装置。
【請求項４】
前記遮光構造は、前記第１孔構造および／または前記第２孔構造に嵌め込まれた第１遮光リングを含む、ことを特徴とする請求項２に記載のレンズ保護装置。
【請求項５】
前記第１シート本体は、ガラスまたはアクリルで成形される、ことを特徴とする請求項２に記載のレンズ保護装置。
【請求項６】
前記第１シート本体は、光を透過しない材料で成形され、前記第１孔構造、第２孔構造は、貫通孔である、ことを特徴とする請求項１に記載のレンズ保護装置。
【請求項７】
前記第１シート本体には、携帯電話のノイズ低減マイクと組み合わせるための第３孔構造が設けられる、ことを特徴とする請求項１〜６のいずれか１項に記載のレンズ保護装置。
【請求項８】
前記第１シート本体の外側に被せられ、光透過性材料で成形され、前記第２孔構造に対応する位置に第４孔構造が設けられる第２シート本体をさらに含み、前記第４孔構造の孔壁の内側には、第２遮光層および／または第２遮光リングが設けられ、前記第２シート本体の表面には、第１孔構造に対応する位置に環状の第３遮光層が設けられ、前記第２シート本体には、前記第３孔構造に対応する位置に第５孔構造が設けられる、ことを特徴とする請求項７に記載のレンズ保護装置。
【請求項９】
請求項１〜８のいずれか１項に記載のレンズ保護装置が設けられる、ことを特徴とする携帯電話の保護カバー。
【請求項１０】
前記携帯電話の保護カバーには、倣い取付孔が設けられ、前記レンズ保護装置は、前記倣い取付孔に嵌着される、ことを特徴とする請求項９に記載の携帯電話の保護カバー。
【考案の詳細な説明】
【技術分野】
【０００１】
本考案は、携帯電話のアクセサリーの分野に用いられ、特に、レンズ保護装置および携帯電話の保護カバーに関する。
【背景技術】
【０００２】
携帯電話レンズのレンズに傷が付いたり、撮影した写真の品質に影響を与えたりするのを防止するため、通常、携帯電話レンズのレンズにレンズ保護フィルムを貼り付ける。レンズ保護フィルムを貼り付けた後、携帯電話で撮影する時、特に夜景画像を撮影する時、撮影された画像が白く、ぼやけやすく、結像品質に影響を与える。
【考案の概要】
【考案が解決しようとする課題】
【０００３】
本考案の目的は、従来技術に存在する技術的問題の少なくとも１つを解決し、携帯電話レンズが使用中に損傷することを効果的に防止することができるだけでなく、携帯電話のフラッシュとレンズ保護フィルムとが互いに干渉して結像品質に影響を与えることを防止することができるレンズ保護装置および携帯電話の保護カバーを提供することである。
【課題を解決するための手段】
【０００４】
本考案がその技術的問題を解決するために採用した技術的解決手段は、以下の通りである。
【０００５】
第１態様において、レンズ保護装置は、
携帯電話用レンズと組み合わせるための第１孔構造と、
携帯電話のフラッシュと組み合わせるための第２孔構造と、が設けられる第１シート本体と、
前記第１シート本体と一体的にまたは別個に設置され、前記フラッシュと前記レンズのレンズ保護フィルムとの間に設けられる遮光構造と、を含むものである。
【０００６】
第１態様を組み合わせ、第１態様のある実施形態において、前記第１シート本体は、光透過性材料で成形される。
【０００７】
第１態様および上記の実施形態を組み合わせ、第１態様のある実施形態において、前記遮光構造は、前記第１孔構造および／または前記第２孔構造の孔壁に設けられた第１遮光層を含む。
【０００８】
第１態様および上記の実施形態を組み合わせ、第１態様のある実施形態において、前記遮光構造は、前記第１孔構造および／または前記第２孔構造に嵌め込まれた第１遮光リングを含む。
【０００９】
第１態様および上記の実施形態を組み合わせ、第１態様のある実施形態において、前記第１孔構造、第２孔構造は、貫通孔またはブラインドホールである。
【００１０】
第１態様および上記の実施形態を組み合わせ、第１態様のある実施形態において、前記第１シート本体は、ガラスまたはアクリルで成形される。
【００１１】
第１態様および上記の実施形態を組み合わせ、第１態様のある実施形態において、前記第１シート本体には、携帯電話のノイズ低減マイクと組み合わせるための第３孔構造が設けられる。
【００１２】
第１態様および上記の実施形態を組み合わせ、第１態様のある実施形態において、前記第１シート本体の外側に被せられ、光透過性材料で成形され、前記第２孔構造に対応する位置に第４孔構造が設けられる第２シート本体をさらに含み、前記第４孔構造の孔壁の内側には、第２遮光層および／または第２遮光リングが設けられ、前記第２シート本体の表面には、第１孔構造に対応する位置に環状の第３遮光層が設けられ、前記第２シート本体には、前記第３孔構造に対応する位置に第５孔構造が設けられる。
【００１３】
第２態様において、携帯電話の保護カバーであって、前記携帯電話の保護カバーには、第１態様のいずれか１項に記載のレンズ保護装置が設けられる。
【００１４】
第１態様を組み合わせ、第１態様のある実施形態において、前記携帯電話の保護カバーには、倣い取付孔が設けられ、前記レンズ保護装置は、前記倣い取付孔に嵌着される。
【考案の効果】
【００１５】
上記の技術的解決手段における１つの技術的解決手段は、少なくとも以下の利点または利点のうちの１つを有する。まず、レンズ保護装置は、携帯電話用レンズの外側に設けられ、携帯電話用レンズ、特に突出されたレンズに対する保護を提供することにより、携帯電話のレンズが使用中に損傷することを効果的に防止することができる。同時に、レンズ保護装置は、遮光構造を有し、遮光構造によってフラッシュの光がレンズ保護フィルムの縁部を通ってレンズに入ることを遮断することができ、これによって携帯電話のフラッシュとレンズ保護フィルムとが干渉して結像品質に影響を与えることを回避することができる。
【図面の簡単な説明】
【００１６】
本考案について図面を参照してさらに説明する。
【図１】本考案のレンズ保護装置の一実施例の構造概略図である。
【図２】図１に示す一実施例と携帯電話との組合せの概略図である。
【図３】本考案のレンズ保護装置の他の実施例の構造概略図である。
【図４】本考案の携帯電話の保護カバーの一実施例の構造概略図である。
【図５】本考案の携帯電話の保護カバーの他の実施例の構造概略図である。
【考案を実施するための形態】
【００１７】
本部分は、本考案の具体的な実施例を詳細に説明し、本考案の好適な実施例は、図面に示されており、図面の作用は、図面で明細書の文字部分の説明を補足するために用いられ、本考案の各技術的特徴および全体的な技術的解決手段を直観的、イメージ的に理解することができるが、本考案の保護範囲に対する制限として理解することができない。
【００１８】
本考案において、方向（上、下、左、右、前および後）を記載した場合、それは、本考案の技術的解決手段を説明するための便宜的なものであり、言及された技術的特徴が特定の方位を有し、特定の方位で構造および操作されなければならないことを指示または示唆するものではなく、従って、本考案に対する制限と理解されるべきではない。
【００１９】
本考案において、「いくつか」の意味は、１つまたは複数であり、「複数」の意味は、２つ以上であり、「より大きい」「より小さい」「超える」等は、その数を含まないものと理解される。「以上」「以下」「以内」等は、その数を含むものと理解される。本考案の説明において、「第１」「第２」を記載した場合、技術的特徴を区別する目的で用いられているだけであり、相対的な重要性を指示または示唆するもの、指示された技術的特徴の数を暗示するもの、または指示された技術的特徴の前後関係を暗示するものと理解されるべきではない。
【００２０】
本考案において、特に断りのない限り、「設置」「取付」「接続」等の用語は広義に理解されるべきものであり、例えば、直接接続されていてもよいし、中間媒体を介して間接的に接続されていてもよい。固定接続されていても、取り外し可能に接続されていても、一体的に成形されてもよい。機械的接続であってもよいし、電気的接続であってもよいし、相互通信可能であってもよい。両要素の内部の連通や両要素の相互作用関係であってもよい。当業者は、技術的解決手段の具体的な内容と組み合わせて本考案における上記の用語の具体的な意味を合理的に決定してもよい。
【００２１】
本技術的解決手段の発明者が検討したところ、携帯電話のフラッシュとレンズが携帯電話の同一領域に設置されるため、貼り付けられたレンズ保護フィルムがレンズの表面に突出し、フラッシュが点灯する時、フラッシュの光がレンズ保護フィルムの縁部を通ってレンズに入ることにより、撮影された画像が白く、ぼやけてしまい、結像品質に影響を与えることが分かった。
【００２２】
そこで、図１に示すように、本考案の実施例は、第１シート本体１および遮光構造を含むレンズ保護装置を提供する。ここで、第１シート本体１には、第１孔構造１１および第２孔構造１２が設けられ、第１孔構造１１および第２孔構造１２の数は、携帯電話の配置に応じて１つまたは複数設置され、例えば、図１に示す実施例において、第１孔構造１１が３つ設置され、第２孔構造１２が１つ設置される。ここで、第１孔構造１１は、携帯電話２のレンズ２１と組み合わせるために設けられ、例えば、図２に示す実施例において、携帯電話２のレンズ２１が携帯電話２の表面に突出し、第１孔構造１１とレンズ本体とは、倣い設計を採用し、第１シート本体１が携帯電話２に貼り付けられた後、第１シート本体１の第１孔構造１１がレンズ２１に嵌合することにより、レンズ２１に対する保護が提供され、それによって携帯電話２のレンズ２１が使用中に損傷することを効果的に防止することができる。
【００２３】
第２孔構造１２は、携帯電話２のフラッシュ２２と組み合わせるために用いられ、フラッシュ２２の光をよりスムーズに外部に照射することができる。
【００２４】
ここで、遮光構造は、第１シート本体１と一体的にまたは別個に設置され、遮光構造は、フラッシュ２２とレンズ２１のレンズ保護フィルムとの間に設けられ、遮光構造によってフラッシュ２２の光がレンズ保護フィルムの縁部を通ってレンズ２１に入ることを遮断することができ、それによって携帯電話２のフラッシュ２２とレンズ保護フィルムとが干渉して結像品質に影響を与えることを回避することができる。
【００２５】
いくつかの実施例において、第１シート本体１は、光透過性材料で成形され、例えば、ガラスまたはアクリルなどで成形されるが、これらに限定されず、光透過性材料は、携帯電話２の表面のデザインを表現し、製品の質感を向上させることができる。ここで、第１孔構造１１、第２孔構造１２は、貫通孔またはブラインドホールであり、貫通孔を採用する場合、レンズ２１、フラッシュ２２の透過性がより良好になる。ブラインドホールを採用する場合、第１シート本体１によってレンズ２１、フラッシュ２２に対する保護を直接提供することができ、一体性および耐久性にさらに優れる。
【００２６】
遮光構造は、フラッシュ２２の光がレンズ２１の保護フィルムの縁部端面への伝導を遮断するために用いられ、遮光構造は、第１シート本体１と一体的にまたは別体に形成されてもよく、例えば、いくつかの実施例において、遮光構造は、第１孔構造１１および／または第２孔構造１２の孔壁に設けられた第１遮光層１３を含み、第１遮光層１３は、コーティング、スプレー等の方式によって第１孔構造１１および／または第２孔構造１２の孔壁に付着され、第１遮光層１３がフラッシュ２２とレンズ２１のレンズ保護フィルムとの間に設けられ、遮光構造によってフラッシュ２２の光がレンズ保護フィルムの縁部を通ってレンズ２１に入ることを遮断することができ、これによって携帯電話２のフラッシュ２２とレンズ保護フィルムとが互いに干渉して結像品質に影響を与えることを回避することができる。第１遮光層１３の成型がより容易となり、第１シート本体１との一体性がより良好となり、遮光効果が良好となる。
【００２７】
他の実施例において、遮光構造は、第１シート本体１と別体に形成され、第１孔構造１１および／または第２孔構造１２に嵌め込まれた第１遮光リングを含み、第１遮光リングがフラッシュ２２とレンズ２１のレンズ保護フィルムとの間に設けられ、遮光構造によってフラッシュ２２の光がレンズ保護フィルムの縁部を通ってレンズ２１に入ることを遮断することができ、携帯電話２のフラッシュ２２とレンズ保護フィルムとが互いに干渉して結像品質に影響を与えることを回避することができる。第１遮光リングの形状および大きさは、実際のニーズに合わせて柔軟に選択することができ、製品の適用性がより高くなる。
【００２８】
いくつかの実施形態において、第１シート本体１は、光を透過しない材料で成形され、第１孔構造１１、第２孔構造１２は、貫通孔であり、第１シート本体１は、本体材料によってフラッシュ２２の光がレンズ２１の保護フィルムへの伝導を直接遮断することにより、携帯電話２のフラッシュ２２とレンズ保護フィルムとが互いに干渉して結像品質に影響を与えることを回避することができる。この実施例は、構造がよりシンプルで、遮光効果がより良好である。
【００２９】
ノイズ低減マイクが設けられた携帯電話２に対して、いくつかの実施例において、第１シート本体１には、携帯電話２のノイズ低減マイク２３と組み合わせるための第３孔構造１４が設けられ、第３孔構造１４を設けることによって、第１シート本体１がノイズ低減マイク２３に対する遮蔽を回避する。
【００３０】
いくつかの実施例において、図３を参照すると、第１シート本体１の外側に被せられ、かつ第１シート本体１に貼り合わされた第２シート本体４をさらに含み、第２シート本体４は、第１孔構造１１への水、塵等の侵入を回避して第１孔構造１１を清潔に保つように、第１孔構造１１を遮蔽するために設けられる。ここで、第２シート本体４は、透光性材料で成形され、例えばガラスまたはアクリルで成形されるが、これに限定されず、第２シート本体４には、第２孔構造１２に対応する位置に第４孔構造４１が設けられ、第４孔構造４１は、フラッシュ２２の光がスムーズに出射することを保証するように第２孔構造１２と位置合わせする。同時に、第４孔構造４１の孔壁の内側には、第２遮光層および／または第２遮光リングが設けられ、第２シート本体４の表面には、第１孔構造１１に対応する位置に環状の第３遮光層が設けられ、第２遮光層、第２遮光リング、第３遮光層は、フラッシュの光が第４孔構造４１の孔壁を通って第２シート本体４に入ることによってレンズ２１の結像品質に影響を与えることを回避するために設けられる。また、第２シート本体４には、第３孔構造に対応する位置に第５孔構造４２が設けられ、第５孔構造４２は、第３孔構造１４と位置合わせし、第１シート本体１および第２シート本体４がノイズ低減マイク２３に対する遮蔽を回避する。
【００３１】
本考案の実施例は、携帯電話の保護カバー３をさらに提供し、例えば、図４、図５に示す実施例において、携帯電話の保護カバー３は、背部保護領域３１および縁部保護領域３２を有し、縁部保護領域３２は、連続または不連続のカールを採用し、携帯電話の保護カバー３は、背部保護領域３１に以上のいずれかの実施例におけるレンズ２１の保護シートが設けられる。レンズ２１の保護シートの構造的特徴および利点は、上記で詳述されているので、ここでは詳述しない。
【００３２】
携帯電話の保護カバー３およびレンズ２１の保護シートは、一体的に成形または別体に成形され、例えば、いくつかの実施例において、携帯電話の保護カバー３には倣い取付孔が設けられ、レンズ２１の保護シートは倣い取付孔に嵌着されて携帯電話の保護カバー３に接続される。
【００３３】
本考案の創造は、以上説明した実施形態に限定されるものではなく、当業者であれば、本考案の趣旨を逸脱しない範囲内で、均等な変形や置換をすることができ、これらの均等な変形や置換は、本願の特許請求の範囲に記載された範囲内に含まれるものであることは言うまでもない。
【図１】
0003225476.tif 000003
【図２】
0003225476.tif 000004
【図３】
0003225476.tif 000005
【図４】
0003225476.tif 000006
【図５】
0003225476.tif 000007